(57)【要約】【課題】片持ち支持される操作体を備えているスイッチ構造において、操作体によるスイッチ素子の切換え操作を常に的確に行うことができ、長期にわたって高度の信頼性を発揮できるスイッチ構造を提供する。【解決手段】スイッチベース３０と、スイッチ素子３２と、スイッチ素子３２を切換え操作する操作体３１とを有する。操作体３１は、固定部３１ａと、スイッチベース３０から浮き離れた状態で弾性揺動可能に片持ち支持される変形部３１ｂとを備える。スイッチベース３０には、スイッチ素子３２を切換え操作する押圧体３６を一体に設け、弾性体３７でスイッチ素子３２から遠ざかる向きに移動付勢し、操作体３１の変形部３１ｂの弾性揺動動作を、押圧体３６を介してスイッチ素子３２に伝えて、スイッチ素子３２をオン・オフ操作する。【選択図】図１
2014207124.tif 000002
【特許請求の範囲】
【請求項１】
ハウジング（１４）に固定されるスイッチベース（３０）と、ハウジング（１４）の内部に配置されるスイッチ素子（３２）と、スイッチベース（３０）の外面に配置されて、スイッチ素子（３２）を切換え操作する操作体（３１）とを有するスイッチ構造であって、
操作体（３１）は、ハウジング（１４）とスイッチベース（３０）のいずれか一方に固定される固定部（３１ａ）と、スイッチベース（３０）から浮き離れた状態で弾性揺動可能に片持ち支持される変形部（３１ｂ）とを備えており、
スイッチベース（３０）には、スイッチ素子（３２）を切換え操作する押圧体（３６）が一体に設けられて、弾性体（３７）でスイッチ素子（３２）から遠ざかる向きに移動付勢されており、
操作体（３１）の変形部（３１ｂ）の弾性揺動動作を、押圧体（３６）を介してスイッチ素子（３２）に伝えて、スイッチ素子（３２）をオン・オフ操作することを特徴とするスイッチ構造。
【請求項２】
操作体（３１）の固定部（３１ａ）がスイッチベース（３０）に固定してある請求項１に記載のスイッチ構造。
【請求項３】
操作体（３１）とスイッチベース（３０）のそれぞれがリング状に形成されており、
操作体（３１）の周囲の一端半部の固定部（３１ａ）がスイッチベース（３０）に固定してある請求項２に記載のスイッチ構造。
【請求項４】
押圧体（３６）と対向する変形部（３１ｂ）に操作面（４７）が形成されており、
操作面（４７）を含む変形部（３１ｂ）が揺動する状態において、操作面（４７）を揺動案内するガイド体（４０）が、スイッチベース（３０）の押圧体（３６）の近傍に設けてある請求項１から３のいずれかひとつに記載のスイッチ構造。
【請求項５】
変形部（３１ｂ）とスイッチベース（３０）の先端部の間に、変形部（３１ｂ）が待機状態から作動状態へ揺動するのは許すが、変形部（３１ｂ）が作動状態から待機状態を越えて揺動するのを規制する規制手段（５５）が設けてある請求項１から４のいずれかひとつに記載のスイッチ構造。
【請求項６】
操作体（３１）に、少なくとも規制手段（５５）の周囲を覆い隠す隠蔽体（５１）が形成されている請求項５記載のスイッチ構造。
【請求項７】
操作面（４７）と押圧体（３６）の対向面に、互いに係合して操作体（３１）と押圧体（３６）を同行移動可能に連結する突起（５０）と凹部（３９ａ）が形成してある請求項１から６のいずれかひとつに記載のスイッチ構造。
【請求項８】
押圧体（３６）に対向する操作面（４７）の外面に、突起または凹みで形成された押圧部（４９）が形成されている請求項４から７のいずれかひとつに記載のスイッチ構造。
【請求項９】
透光性を有する素材で形成した操作体（３１）の前部に、操作面（４７）に連続して下り傾斜する傾斜面（４８）が形成されており、
傾斜面（４８）に臨むハウジング（１４）の内部に、傾斜面（４８）に表示光を照射する光源（６１）が配置されており、
スイッチ素子（３２）が操作体（３１）でオン操作された状態において、傾斜面（４８）から表示光を射出する請求項４から８のいずれかひとつに記載のスイッチ構造。
【請求項１０】
操作体（３１）の外面の全体に遮光層（５６）が形成されており、
少なくとも傾斜面（４８）には、遮光層（５６）を除去して操作体（３１）を露出させた表示部（５７）が形成されており、
押圧体（３６）の傾斜面（４８）との対向面に、光源（６１）から照射された表示光を傾斜面（４８）へ向かって反射する反射部（６２）が設けてある請求項９に記載のスイッチ構造。
【請求項１１】
操作体（３１）の変形部（３１ｂ）の厚み寸法（ｔ）が、基端側から先端側に行くに従って薄くなるように形成されている請求項１から１０のいずれかひとつに記載のスイッチ構造。
【請求項１２】
水密状に形成したハウジング（１４）に連通穴（９０）が開口されて、ハウジング（１４）の内部に配置したスイッチ素子（３２）と、ハウジング（１４）の外部に配置した押圧体（３６）とが、連通穴（９０）を介して内外に隣接配置してあり、
押圧体（３６）の弾性体（３７）が周回状に形成されて、押圧体（３６）が連通穴（９０）を封止する封止体（９１）を兼ねている請求項１から１１のいずれかひとつに記載のスイッチ構造。
【請求項１３】
請求項１から１２のいずれかひとつに記載のスイッチ構造を備えたことを特徴とする小型電気機器。
【発明の詳細な説明】
【技術分野】
【０００１】
本発明は、スイッチ構造、およびこのスイッチ構造を備えた小型電気機器に関する。小型電気機器としては、除毛器の除菌乾燥機、電気かみそり、電気バリカン、電動歯ブラシなどを挙げることができる。
【背景技術】
【０００２】
本発明に関し、操作体が片持ち状に支持されたスイッチ構造は特許文献１に公知である。そこでは、合成樹脂製の操作ボタン（操作体）を、その周縁の一部に一体に形成された支持片と、支持片の反対側に一体に形成されて、基板上のスイッチを切換え操作する可動片とで構成している。支持片は、基端部が先端部よりも上方に位置するように屈曲形成されており、支持片の先端部を操作パネルの取付け凹部と押え片との間に圧入して、操作ボタンを片持ち状に支持している。このように、基端部と取付け凹部との間に隙間が設けてあると、この隙間の分だけ支持片を撓み変形させながら操作ボタンを押下でき、操作ボタンと同行移動する可動片でスイッチを切換え操作することができる。
【０００３】
また、操作ボタンの内面には発光素子が配置されており、発光素子から照射された光を、半透明の操作ボタンと、操作ボタンを被覆する光透過性のカバーシートを介して視認することができる。
【先行技術文献】
【特許文献】
【０００４】
【特許文献１】特開平０８−２３５９５６号公報
【発明の概要】
【発明が解決しようとする課題】
【０００５】
特許文献１の操作スイッチ装置（スイッチ構造）では、支持片の弾性力により操作ボタンを初期状態、または待機状態に保持できるので、操作スイッチ装置の全体構造を簡素化できる。しかし、合成樹脂製の支持片が発揮する弾性力は小さく、操作ボタンを初期位置に保持する保持力が十分でないために、操作ボタンに軽く触れただけで、スイッチが切換え操作されるおそれがある。また、操作ボタンを初期位置に復帰させる復元力が小さいので、初期位置への復帰が確実ではない。支持片が発揮する弾性力は、支持片の肉厚を厚くすることで大きくできるが、この場合には、支持片にクラックが発生しやすくなり、スイッチ構造の耐久性が低下してしまう。
【０００６】
さらに、操作ボタンを発光させることでスイッチの状態を視認できるが、操作ボタンを操作する指で光がさえぎられるので、操作ボタンから指を離すまで光を視認することができない不具合がある。
【０００７】
本発明の目的は、片持ち支持される操作体を備えているスイッチ構造において、操作体によるスイッチ素子の切換え操作を常に的確に行うことができ、長期にわたって高度の信頼性を発揮できるスイッチ構造を提供することにある。
本発明の目的は、長期にわたって高度の信頼性を発揮できるスイッチ構造を備え、また、デザイン性に優れた小型電気機器を提供することにある。
【課題を解決するための手段】
【０００８】
本発明に係るスイッチ構造は、ハウジング１４に固定されるスイッチベース３０と、ハウジング１４の内部に配置されるスイッチ素子３２と、スイッチベース３０の外面に配置されて、スイッチ素子３２を切換え操作する操作体３１とを有する。操作体３１は、ハウジング１４とスイッチベース３０のいずれか一方に固定される固定部３１ａと、スイッチベース３０から浮き離れた状態で弾性揺動可能に片持ち支持される変形部３１ｂとを備えている。スイッチベース３０には、スイッチ素子３２を切換え操作する押圧体３６が一体に設けられて、弾性体３７でスイッチ素子３２から遠ざかる向きに移動付勢されている。そして、操作体３１の変形部３１ｂの弾性揺動動作を、押圧体３６を介してスイッチ素子３２に伝えて、スイッチ素子３２をオン・オフ操作することを特徴とする。
【０００９】
操作体３１の固定部３１ａをスイッチベース３０に固定する。
【００１０】
操作体３１とスイッチベース３０のそれぞれをリング状に形成する。操作体３１の周囲の一端半部の固定部３１ａをスイッチベース３０に固定する。
【００１１】
押圧体３６と対向する変形部３１ｂに操作面４７を形成する。操作面４７を含む変形部３１ｂが揺動する状態において、操作面４７を揺動案内するガイド体４０を、スイッチベース３０の押圧体３６の近傍に設ける。
【００１２】
変形部３１ｂとスイッチベース３０の先端部の間に、変形部３１ｂが待機状態から作動状態へ揺動するのは許すが、変形部３１ｂが作動状態から待機状態を越えて揺動するのを規制する規制手段５５を設ける。
【００１３】
操作体３１に、少なくとも規制手段５５の周囲を覆い隠す隠蔽体５１を形成する。
【００１４】
操作面４７と押圧体３６の対向面に、互いに係合して操作体３１と押圧体３６を同行移動可能に連結する突起５０と凹部３９ａを形成する。
【００１５】
押圧体３６に対向する操作面４７の外面に、突起または凹みで形成された押圧部４９を形成する。
【００１６】
透光性を有する素材で形成した操作体３１の前部に、操作面４７に連続して下り傾斜する傾斜面４８を形成する。傾斜面４８に臨むハウジング１４の内部に、傾斜面４８に表示光を照射する光源６１を配置する。スイッチ素子３２が操作体３１でオン操作された状態において、傾斜面４８から表示光を射出する。
【００１７】
操作体３１の外面の全体に遮光層５６を形成する。少なくとも傾斜面４８には、遮光層５６を除去して操作体３１を露出させた表示部５７を形成する。押圧体３６の傾斜面４８との対向面に、光源６１から照射された表示光を傾斜面４８へ向かって反射する反射部６２を設ける。
【００１８】
操作体３１の変形部３１ｂの厚み寸法ｔを、基端側から先端側に行くに従って薄くなるように形成する。
【００１９】
水密状に形成したハウジング１４に連通穴９０が開口されて、ハウジング１４の内部に配置したスイッチ素子３２と、ハウジング１４の外部に配置した押圧体３６とを、連通穴９０を介して内外に隣接配置する。押圧体３６の弾性腕３７を周回状に形成して、押圧体３６を連通穴９０を封止する封止体９１を兼ねるようにする。
【００２０】
また、本発明に係る小型電気機器においては、上記のスイッチ構造を備えたことを特徴とする。
【発明の効果】
【００２１】
本発明においては、操作体３１を固定部３１ａと変形部３１ｂで構成し、固定部３１ａをハウジング１４とスイッチベース３０のいずれか一方に固定して、変形部３１ｂをスイッチベース３０から浮き離れた状態で弾性揺動可能に片持ち支持するようにした。また、スイッチベース３０に、弾性体３７でスイッチ素子３２から遠ざかる向きに移動付勢される押圧体３６を一体に設け、操作体３１の変形部３１ｂの弾性揺動動作を、押圧体３６を介してスイッチ素子３２に伝えて、スイッチ素子３２をオン・オフ操作するようにした。つまり、操作体３１の変形部３１ｂを弾性変形させることで、スイッチ素子３２をオン・オフ操作できるようにした。
【００２２】
このような構成によれば、変形部３１ｂ自体の弾性力と、押圧体３６を移動付勢する弾性体３７の弾性力とで操作体３１を待機状態に復帰させるので、操作体３１を常に確実に待機状態に復帰させることができる。また、変形部３１ｂ自体の弾性力と弾性腕３７の弾性力を越える操作力が加わらない限りは、スイッチ素子３２の状態を維持できるので、たとえば、ユーザーが操作体３１に誤って触れた場合などに、スイッチ素子３２がオン・オフ操作されるのを確実に防止できる。従って、操作体３１によるスイッチ素子３２のオン・オフ操作を常に的確に行うことができ、長期にわたって高度の信頼性を発揮できるスイッチ構造が得られる。
【００２３】
操作体３１の固定部３１ａをスイッチベース３０に固定すると、ハウジング１４などに別途固定構造を設ける場合に比べて、構造を簡素化することができるので、スイッチ構造の製造コストを削減でき、また、スイッチ構造の組立ての手間を軽減できる。
【００２４】
操作体３１とスイッチベース３０のそれぞれをリング状に形成し、操作体３１の周囲の一端半部の固定部３１ａをスイッチベース３０に固定すると、操作体３１およびスイッチベース３０の周辺部の外観上の印象をシャープでありながらシンプルなものにして、デザイン効果を高めることができる。
【００２５】
変形部３１ｂの揺動時に操作面４７をガイド体４０で揺動案内すると、操作面４７が変形部３１ｂの変形応力を受けて歪み変形するのをガイド体４０で規制して、操作面４７を均等に揺動操作することができる。従って、スイッチ素子３２を変形部３１ｂで確実にオン・オフ操作することができる。
【００２６】
変形部３１ｂが待機状態から作動状態へ揺動するのは許すが、変形部３１ｂが作動状態から待機状態を越えて揺動するのを規制する規制手段５５を、変形部３１ｂとスイッチベース３０の間に設けるようにした。これによれば、変形部３１ｂと弾性腕３７の弾性力を規制手段５５で受止めて、変形部３１ｂが待機状態を越えて揺動するのを確実に規制できる。従って、片持ち支持されている操作体３１の変形部３１ｂを、常に適正な待機状態に位置保持できる。また、いたずらなどによって故意に変形部３１ｂが、作動状態への揺動方向とは逆に待機状態を越えて揺動操作されるのを、規制手段５５で確実に防止して、操作体３１が変形し、あるいは破損するのを防止できる。
【００２７】
操作体３１に設けた隠蔽体５１で規制手段５５の周囲を覆い隠すと、規制手段５５が外面側から視認されるのを隠蔽体５１で遮断して、スイッチベース３０と操作体３１の周辺部の見た目の印象をすっきりさせて、スイッチ構造のデザイン性を向上できる。また、規制手段５５の周囲を隠蔽体５１で覆い隠すことにより、規制手段５５が不正に操作されるのをよく防止できるので、いたずらや悪意に基づいて操作体３１が分解されるのを解消できる。
【００２８】
操作面４７と押圧体３６の対向面に、互いに係合して操作体３１と押圧体３６を同行移動可能に連結する突起５０と凹部３９ａを形成すると、変形部３１ｂの揺動操作を確実に押圧体３６に伝達して、押圧体３６を介してスイッチ素子３２を的確にオン・オフ操作することができ、信頼性の高いスイッチ構造を得られる。
【００２９】
突起または凹みで形成した押圧部４９を、押圧体３６に対向する操作面４７の外面に形成すると、ユーザーはスイッチ構造の操作部分を視覚と触覚とのいずれででも認識することができるので、変形部３１ｂの揺動操作を確実に行うことができる。
【００３０】
操作面４７に隣接して傾斜面４８を設け、ハウジング１４の内部に設けた光源６１から照射される表示光を傾斜面４８から射出させると、操作面４７の押圧部４９を指先で押圧したとしても、傾斜面４８から射出した表示光が指先で遮られるのを解消できる。つまり、押圧部４９とは別の位置に設けた傾斜面４８から表示光を明確に射出するので、傾斜面４８が発光している状態であることをユーザーに対して確実に認識させることができ、これによりスイッチ構造の切換え状態を明確化できる。
【００３１】
透光材で形成した操作体３１に遮光層５６を形成したうえで、傾斜面４８の遮光層５６を除去して表示部５７を形成すると、表示部５７の表示形状や表示パターンを自由に設定することができ、例えばメーカー名や機種名などを自由に表現することができる。また、押圧体３６に設けた反射部６２で光源６１から照射される表示光を傾斜面４８へ向かって反射させると、光源６１から照射された直接光の一部と、反射部６２で反射された間接光とを傾斜面４８から同時に照射することができる。従って、傾斜面４８から照射される表示光の発光強度を大きくしながら、柔らかな間接光をも同時に照射することができ、傾斜面４８における表示光の雰囲気を幻想的で興趣に富むものとすることができる。
【００３２】
基端側から先端側に行くに従って、操作体３１の変形部３１ｂの厚み寸法ｔが薄くなるように形成すると、固定部３１ａとの隣接部分から前端に至る間で弾性力を発揮しながら、荷重が集中する変形部３１ｂの基部の剛性を増強できる。従って、変形部３１ｂの基部の耐久性を向上しながら、操作面４７を含む変形部３１ｂおよび押圧部４９をしなやかに弾性変形させることができる。
【００３３】
押圧体３６の弾性体３７を周回状に形成して、水密状に形成したハウジング１４に連通穴９０を封止する封止体９１を兼ねるようにすると、別途連通穴９０を封止する部材を別途設ける必要がなく、より簡単な構造でハウジング１４を水密状に保持できる。
【００３４】
上記のスイッチ構造を備えた小型電気機器によれば、操作体３１を常に確実に待機状態に復帰させることができ、また、ユーザーの明確な意図がない限りは、小型電気機器が起動され、あるいは動作が停止されるのを防止できる小型電気機器を得ることができる。さらに、デザイン性に優れた小型電気機器を得ることができる。
【図面の簡単な説明】
【００３５】
【図１】本発明の第１実施形態に係る除菌乾燥装置の要部を示す縦断側面図である。
【図２】除菌乾燥装置と電気かみそりの正面図である。
【図３】除菌乾燥装置の全体を示す斜視図である。
【図４】除菌乾燥装置の縦断側面図である。
【図５】スイッチリングを分離した状態の側面図である。
【図６】スイッチリングを分離した状態の平面図である。
【図７】図１におけるＡ−Ａ線断面図である。
【図８】図７におけるＢ−Ｂ線断面図である。
【図９】スイッチリングを揺動操作している状態を示す縦断側面図である。
【図１０】図４におけるＣ−Ｃ線断面図である。
【図１１】図４におけるＤ−Ｄ線断面図である。
【図１２】図４におけるＥ−Ｅ線断面図である。
【図１３】除菌乾燥装置の使用例を示す説明図である。
【図１４】本発明の第２実施形態に係る電気かみそりの全体を示す正面図である。
【図１５】第２実施形態に係る電気かみそりのスイッチ構造を示す縦断側面図である。
【図１６】第３実施形態に係る電気かみそりのスイッチ構造を示す縦断側面図である。
【図１７】第４実施形態に係る電気かみそりのスイッチ構造を示す縦断側面図である。
【図１８】第５実施形態に係る押圧体とスイッチとを示す断面図である。
【発明を実施するための形態】
【００３６】
（第１実施形態）  図１から図１３に、本発明を除毛器用の除菌乾燥装置に適用した第１実施形態を示す。本実施形態では、除毛器が電気かみそりである場合の除菌乾燥装置を示している。なお、本発明における前後、左右、上下とは、図中に示す交差矢印と、各矢印の近傍に表記した前後、左右、上下の表示に従う。
【００３７】
図２において電気かみそりは、グリップを兼ねる本体部１と、本体部１の上部に設けられるかみそりヘッド２とを備えている。かみそりヘッド２には、網刃からなる断面アーチ形の一対の外刃３と、各外刃３の内面に摺接するロータリー式の内刃４・４と、センター刃（図示していない）とが設けられており、本体部１の内部に設けたモーター５の回転動力で、内刃４・４を回転駆動できる。かみそりヘッド２は水洗い洗浄することができ、洗浄時に内刃４・４を駆動することにより、かみそりヘッド２の内部、外刃３および内刃４に付着した毛屑や皮脂などを効果的に洗い流すことができる。
【００３８】
本体部１にはモーター５に電力を供給する２次電池６が収容され、その前面にメインスイッチを切り換えるための押しボタン型のスイッチボタン７と、運転モードを表示するためのＬＥＤ表示などが設けてある。本体部１の下端には、給電用のプラグ８が設けてあり、このプラグ８を介して充電電流を供給することにより２次電池６を充電することができる。符号９は外刃３を支持する外刃ホルダーであり、その内部の毛屑室に切断された毛屑を溜めることができる。
【００３９】
図２から図４に示すように、本実施形態に係る除菌乾燥装置は、平面視において前後方向に長い楕円状のハウジング１４と、ハウジング１４の上面に配置されるスイッチ構造とを備えている。ハウジング１４は、楕円状のベース体１５と、ベース体１５の上部に連結されるハウジング本体１６とで構成する。ハウジング本体１６の中央には、電気かみそりを収容する収容凹部１７が上向きに開口する状態で形成してあり、この収容凹部１７の内部に第１および第３の載置部１８・２０が設けてあり、収容凹部１７の後側に第２載置部１９が設けてある。また、ハウジング本体１６とベース体１５との間の空間に軸流ファン２１と、ヒーターユニット２２と、紫外光を照射する殺菌ＬＥＤ２３と、排水パン２４などが収容してある。除菌乾燥装置は電源コードを介して商用電源に接続される。
【００４０】
３個の載置部１８・１９・２０のうち第１載置部（載置部）１８は、収容凹部１７の後側に設けてあって、図１３（ａ）に示すように、起立姿勢にした電気かみそりを支持する。また、第２載置部（載置部）１９は、第１載置部１８より後側の高い位置に設けてあって、図１３（ｂ）に示すように、２次電池６を充電する際に電気かみそりを起立姿勢で支持する。第３載置部（載置部）２０は、図１３（ｃ）に示すように第１載置部１８の前側に設けられて、倒立姿勢にした電気かみそりを支持しており、かみそりヘッド２を乾燥し、あるいは殺菌する際に用いる。
【００４１】
図４に示すように、収容凹部１７の上周囲壁はハウジング本体１６と一体に形成してあり、収容凹部１７の下周囲壁および底壁は１個のトレー体２６で形成してある。トレー体２６は、耐熱性に富み、摩擦力が大きなゴム（弾性体）を素材とする成形品からなり、その第１載置部１８側の底壁には排水口２７が開口され、第３載置部２０側の底壁には透光性を有する窓板２８が嵌め込まれている。殺菌ＬＥＤ２３は、窓板２８に対向するようにハウジング１４内に配置してある。第３載置部２０側の底壁は、第１載置部１８の底壁の排水口２７へ向かって下り傾斜させてある。
【００４２】
ヒーターユニット２２と殺菌ＬＥＤ２３とは、第３載置部２０に装填したかみそりヘッド２と対向するように、第３載置部２０の底壁に配置してあり、外刃３、内刃４およびその周辺に付着している水滴をヒーターユニット２２の熱で乾燥できる。また、殺菌ＬＥＤ２３で雑菌を殺菌し、あるいは水滴に含まれている雑菌を殺菌することができる。第１・第３の両載置部１８・２０の左右両側を覆うことにより、水洗い洗浄したかみそりヘッド２を第３載置部２０に装填した状態において、本体部１などから滴る水滴が、周辺に流動し拡散するのを防止できる。また、第３載置部２０の底壁で受止めた水滴の全てを排水口２７へと流下することができる。排水口２７へと流下した水滴は、排水パン２４に受止められて貯留され、排水パン２４をハウジング１４から取外すことで、貯留した水を捨てることができる。
【００４３】
第２載置部１９は、第１載置部１８の後側に隣接する状態で設けるが、第１載置部１８の上開口縁に連続して第１載置部１８より高い位置に形成する。第２載置部１９は、膨出形成されるコネクター部１９ａを備えており、その内部に電気かみそりのプラグ８を接続するための一対の端子板１９ｂが設けてある。
【００４４】
図３から図６に示すように、ハウジング１４の上面には、第１から第３の載置部１８・１９・２０を囲むようにスイッチ構造が配置してある。スイッチ構造は、ハウジング本体１６の上部に固定されるスイッチベース３０と、ハウジング本体１６の内部に配置されるスイッチ素子３２と、スイッチ素子３２を押圧体３６を介して切換え操作するスイッチリング（操作体）３１などで構成する。スイッチベース３０とスイッチリング３１とは、それぞれ平面視において略同形の楕円リング状に形成してあり、スイッチリング３１はスイッチベース３０の外面に配置してある。
【００４５】
図６に示すように、スイッチベース３０は、楕円リング状のベース枠３４と、ベース枠３４の前側左右部分を橋絡する断面Ｌ字状の橋絡枠３５と、橋絡枠３５の前側に配置される押圧体３６とを一体に備えたプラスチック成形品からなる。図７に示すように、押圧体３６は、左右一対の弾性腕（弾性体）３７・３７と、各弾性腕３７を支持する支持腕３８・３８と、上向きに開口する角箱状の押圧枠３９とを一体に備えており、一対の弾性腕３７・３７が弾性変形することにより、押圧枠３９は下方移動できる。橋絡枠３５の上面には、後述するスイッチリング３１の変形部３１ｂの揺動を案内する左右横長の案内壁（ガイド体）４０が突出形成してある（図１参照）。ベース枠３４の後半部の上面には、その内周縁に沿って半円状の固定座４１が上向きに突出形成してある。また、ベース枠３４の上面の前部左右には２個の係合穴４２が形成され、固定座４１の周囲の左右および後部中央のそれぞれに３個の固定穴４３が形成してある。さらに、隣接する固定穴４３間に２個ずつ計４個の位置決め穴４４がそれぞれ形成してある。
【００４６】
図４に示すように、スイッチベース３０は前側がハウジング本体１６に固定されて、後半部側が片持ち梁状に支持されている。片持ち梁状に支持されるスイッチベース３０を強固に支持するために、ハウジング本体１６の前部に支持段部１６ａが形成され、さらにハウジング本体１６の前部の左右に三角形状の受座１６ｂが突設してある。図１において符号３４ａは溶着ピンであり、このピン３４ａをハウジング本体１６の前壁に係合したのち、先端を溶融変形することにより、スイッチベース３０をハウジング本体１６に固定できる。
【００４７】
図６に示すように、スイッチリング３１は、楕円リング状に形成されるリング枠４６と、リング枠４６の前側に形成される、平面視においてＤ字状の操作面４７および傾斜面４８とで形成してある。操作面４７および傾斜面４８は、それぞれ前下がり傾斜面で形成されて、横臥く字状に連続している（図１参照）。操作面４７の上面（外面）側には、指先をあてがうための押圧部４９が凹み形成してある。このように、操作面４７に押圧部４９を凹み形成すると、ユーザーはスイッチ構造の操作部分を視覚と触覚とのいずれででも認識することができるので、スイッチ操作を確実に行うことができる。操作面４７の下面側には、押圧枠３９の凹部３９ａに係合する２個の係合突起５０が形成してある。図４、図１１および図１２に示すように、リング枠４６は、断面へ字状に形成してあり、その外周縁から下方に向かって周回状のスカート体（隠蔽体）５１が一体に形成してある。
【００４８】
スイッチリング３１は、後部の固定部３１ａと前部の変形部３１ｂとで機能が異なっており、固定部３１ａはスイッチベース３０に連結されて、スイッチリング３１の全体を片持ち支持する。また、前部の変形部３１ｂは、スイッチベース３０から浮離れた状態で支持されていて上下（内外方向）に弾性変形できる。変形部３１ｂの厚み寸法ｔは、固定部３１ａとの隣接部分から前端に近付くに従って、漸次薄くなるように形成してあり、これにより、固定部３１ａとの隣接部分から前端に至る間で弾性力を発揮しながら、荷重が集中する変形部３１ｂの基部の剛性を増強できる。従って、変形部３１ｂの基部の耐久性を向上しながら、操作面４７を含む変形部３１ｂおよび押圧部４９をしなやかに弾性変形させることができる。
【００４９】
図５および図６に示すように、変形部３１ｂの下面の左右には、先の係合穴４２に対応する２個の係合爪５２が形成してあり、固定部３１ａの左右および後部中央のそれぞれには、先の固定穴４３に対応する３個の固定爪５３が形成してある。また、隣接する固定爪５３の間には、先の位置決め穴４４に対応する４個の位置決め突起５４が形成してある。互いに係合する係合穴４２と係合爪５２とで規制手段５５を構成して、変形部３１ｂの前部がスイッチベース３０から分離するのを規制している。さらに、位置決め穴４４と位置決め突起５４とで位置決めされた固定部３１ａを、互いに係合する固定穴４３と固定爪５３とでスイッチベース３０に連結固定して、スイッチリング３１をスイッチベース３０と一体化している。射出成形品からなるスイッチリング３１は、ＡＢＳ樹脂やポリカーボネートなどの透光性を有するプラスチック材で形成してあり、本実施形態ではＡＢＳ樹脂を素材にしてスイッチリング３１を形成した。
【００５０】
スイッチリング３１は、スイッチベース３０に上方から嵌め込み装着することにより固定してある。詳しくは、各爪５２・５３および位置決め突起５４を、各穴４２・４３・４４に上方から挿入した状態で、スイッチリング３１を下方に押し込むことにより、スイッチリング３１をスイッチベース３０に連結し固定できる。この状態の係合爪５２・５３は係合穴４２・４３と係合して、スイッチリング３１を分離不能に保持しており、リング枠４６の内面は、半円弧状の固定座４１の上面で受止められている（図４参照）。これにより、スイッチリング３１は、固定座４１で受止められる固定部３１ａがスイッチベース３０に一体に固定され、固定部３１ａよりも前側部分の変形部３１ｂが片持ち支持される。片持ち支持された変形部３１ｂは、固定座４１の前端部４１ａと接触する位置を支点にして、上方の待機状態と、待機状態から下方揺動した作動状態とに揺動変移できる。
【００５１】
スイッチベース３０にスイッチリング３１を固定した状態では、操作面４７と押圧枠３９とが対向しており、押圧枠３９の上面四隅に形成した当接突起３９ｂ（図８参照）が操作面４７の内面に接触している。また、押圧枠３９の凹部３９ａに係合突起５０が係合している。これにより、スイッチリング３１と押圧枠３９とが同行移動可能に連結されるので、変形部３１ｂの揺動操作を確実に押圧体３６に伝達して、押圧体３６を介してスイッチ素子３２をオン・オフ操作することができ、信頼性の高いスイッチ構造を得られる。
【００５２】
上記のように、スイッチリング３１の固定部３１ａをスイッチベース３０に固定すると、ハウジング１４などに別途固定構造を設ける場合に比べて、スイッチ構造を簡素化することができるので、装置全体の製造コストを削減できる。また、スイッチベース３０に固定部３１ａを係合固定するだけで、スイッチベース３０とスイッチリング３１とを一体にできるので、スイッチ構造の組立ての手間を軽減できる。さらに、変形部３１ｂが上下揺動するとき、操作面４７を案内壁４０で上下スライド（内外方向スライド）のみ可能に案内すると、操作面４７が変形部３１ｂの変形応力を受けて歪み変形するのを案内壁４０で規制して、操作面４７を均等に押下げ操作することができる。従って、スイッチ素子３２を変形部３１ｂで確実にオン・オフ操作することができる。
【００５３】
待機状態において、係合爪５２と係合穴４２が係合して、変形部３１ｂと弾性腕３７の弾性力を受止めるので、変形部３１ｂが待機状態を越えて上方揺動するのを確実に規制できる。従って、片持ち支持されているスイッチリング３１の変形部３１ｂを、常に適正な待機状態に位置保持できる。また、いたずらなどによって、故意に変形部３１ｂが待機状態を越えて上方に揺動操作されることによるスイッチリング３１の破損を効果的に防止することができる。
【００５４】
スカート体５１は、スイッチベース３０の上面よりも下方に被さって、外縁全周を覆っている。これにより、規制手段５５が外面側から視認されるのをスカート体５１で遮断して、スイッチベース３０とスイッチリング３１の周辺部の見た目の印象をすっきりさせて、スイッチ構造のデザイン性を向上できる。また、規制手段５５の周囲をスカート体５１で覆い隠すことにより、規制手段５５が不正に操作されるのをよく防止できるので、いたずらや悪意に基づいてスイッチリング３１が分解されるのを解消できる。
【００５５】
スイッチ素子３２はタクタイルスイッチからなり、ハウジング１４の前側に垂直姿勢で配置した基板６０の前面に実装してある。変形部３１ｂが待機状態にあるとき、押圧体３６の押圧枠３９とスイッチ素子３２のプランジャー部３２ａとは、僅かな隙間を介して対向している。この状態から、押圧部４９を変形部３１ｂおよび弾性腕３７の弾性力に抗して押込んで、変形部３１ｂを下方揺動させると、押圧体３６でプランジャー部３２ａを押込んで、スイッチ素子３２をオン状態に切換えることができる。再度、押圧部４９を押込み操作すると、スイッチ素子３２をオフ状態に切換えることができ、これにより、除菌乾燥装置を停止状態から作動状態へ、あるいは作動状態から停止状態へと操作することができる。
【００５６】
上記のように、スイッチ素子３２を切換え操作する際には、スイッチリング３１の変形部３１ｂ、および押圧枠３９を支持する弾性腕３７の弾性力に抗する操作力が必要となる。従って、ユーザーが誤って押圧部４９や操作面４７に軽く触れた程度では、スイッチ素子３２が切換え操作されることはなく、ユーザーの明確な意図がない限りは、除菌乾燥装置が起動され、あるいは動作が停止されるのを防止できる。
【００５７】
図９に示すように、スイッチリング３１の外表面には光の透過を妨げる遮光層５６が形成してある。遮光層５６は、スイッチリング３１の外表面に塗料を塗布して形成するが、傾斜面４８の上部寄りの遮光層５６にレーザー光を照射して、照射部分の塗料を除去することにより表示部５７を形成している。表示部５７は、除菌乾燥装置が作動している状態であることを発光表示するために設けてある。
【００５８】
ハウシング１４の内部のスイッチ素子３２よりも前方で、かつ、操作面４７と傾斜面４８との隣接部分の下方に、先の表示部５７へ向かって表示光を照射するＬＥＤ（光源）６１が設けてある。ＬＥＤ６１は、その接続リードが９０度に折り曲げられた状態で、基板６０の前面に固定してあり、スイッチ素子３２がオン操作された状態において点灯されて、上端の発光面から表示光を照射する。また、押圧枠３９の前面には、光源６１から照射された表示光を傾斜面４８へ向かって反射する反射部６２が設けてある。このように、ＬＥＤ６１を点灯した状態では、傾斜面４８に設けた表示部５７が発光するので、操作面４７の押圧部４９を指先で押圧したとしても、表示部５７から射出した表示光が指先で遮られるのを解消できる。つまり、押圧部４９とは別の位置に設けた傾斜面４８に形成した表示部５７から表示光を明確に射出するので、表示部５７が発光している状態であることをユーザーに対して確実に認識させることができ、これによりスイッチ構造の切換え状態を明確化できる。表示部５７の表示形状や表示パターンは自由に設定することができるので、例えばメーカー名や機種名などを自由に表現することができる。
【００５９】
本実施形態においては、反射部６２は、押圧体３６（押圧枠３９）の前壁に下側が後側に向かって傾斜する面を設け、この傾斜する面に別途に鏡を配設して構成してある。このように、押圧体３６に設けた反射部６２で光源６１から照射される表示光を傾斜面４８へ向かって反射させると、光源６１から照射された直接光の一部と、反射部６２で反射された間接光とを傾斜面４８から同時に照射することができる。従って、傾斜面４８から照射される表示光の発光強度を大きくしながら、柔らかな間接光をも同時に照射することができ、傾斜面４８における表示光の雰囲気を幻想的で興趣に富むものとすることができる。なお、反射部６２は鏡を配設する以外に、傾斜する面にメッキ処理を施したり、あるいは銀色の塗装面を形成し鏡面にして反射部６２とすることができる。また、押圧体３６（押圧枠３９）を形成する素材の色を、例えば白色など明るい色の素材で形成することで、傾斜する面を設けるだけで反射部６２として構成できるので、別途反射性を向上させる処理を施す必要がないため、コスト低減が可能となる。
【００６０】
以上のように構成した除菌乾燥装置は、電気かみそりを第１載置部１８から第３載置部２０のいずれかに載置した状態で使用する。不使用状態の電気かみそりを単に収納保管する場合には、図１３（ａ）に示すように、本体部１の下部を第１載置部１８に差込み保管する。この状態の電気かみそりは、除菌乾燥装置の最も低い位置で支持されており、しかも、本体部１の下部が排水口２７に嵌まり込み、さらにゴム製のトレー体２６の底壁で受止められるので、本体部１の下部が滑り動くのを良く防止でき、安定的に支持されている。必要時には、本体部１あるいはかみそりヘッド２を単に掴んで持ち上げるだけで、電気かみそりを除菌乾燥装置から簡便に取り出すことができる。また、収納状態の電気かみそりは、除菌乾燥装置の最も低い位置で収納されるので、全高寸法を小さくでき、その分だけ収納スペースを小さくできる。
【００６１】
２次電池６の充電を行う場合には、図１３（ｂ）に示すように、本体部１の下端を第２載置部１９のコネクター部１９ａに差込んでプラグ８を端子板１９ｂに接続し、電気かみそりの全体を起立姿勢にする。この状態では、制御基板に設けた充電回路から出力される充電電流を、プラグ８を介して２次電池６に供給して充電できる。
【００６２】
電気かみそりでひげ切断を行ったのち、水洗い洗浄したかみそりヘッド２を乾燥する場合には、図１３（ｃ）に示すように、電気かみそりの全体を倒立姿勢にしたのち、かみそりヘッド２を第３載置部２０に装填する。かみそりヘッド２を第３載置部２０に装填した時点で、かみそりヘッド２の内部に入り込んでいた洗浄水が、外刃３を介して第３載置部２０の底壁側へ流れ出る。しかし、底壁が排水口２７へ向かって下り傾斜させてあるため、外刃３から流出した洗浄水は排水口２７の側へ流下し、さらに排水口２７から排水パン２４へと落下する。
【００６３】
上記の状態で押圧部４９を押し込み操作してスイッチ素子３２をオン操作することにより、軸流ファン２１およびヒーターユニット２２を起動させ、さらに殺菌ＬＥＤ２３を点灯して、乾燥運転を開始することができる。このとき、ＬＥＤ６１を点灯させ、あるいは明滅させることにより、除菌乾燥装置が乾燥処理状態に切換わったことを表示することができる。図４示すように、軸流ファン２１から送出された乾燥空気（加圧空気）は、前方へ送給され、排水口２７から第３載置部２０の凹部内へと入込んでかみそりヘッド２の表面に接触し、外刃３や内刃４に付着した水滴を蒸発させる。また、ヒーターユニット２２で生成された熱は、第３載置部２０の底壁を介して外刃３を含むかみそりヘッド２に伝えられ、外刃３や内刃４に付着した水滴の温度を上げて蒸発を促進する。
【００６４】
ヒーターユニット２２による伝熱作用と並行して、殺菌ＬＥＤ２３から紫外光を外刃３および内刃４に照射して、外刃３および内刃４に付着している雑菌を殺菌し、あるいは水滴に含まれている雑菌を殺菌することができる。乾燥処理を開始して所定時間が経過すると、ＬＥＤ６１を明滅させ、あるいは消灯させることにより、除菌乾燥装置の乾燥処理が終了したことを表示できる。所定時間が経過する前に、再度押圧部４９を押し込み操作してスイッチ素子３２をオフ操作することにより、乾燥処理を強制的に停止することもできる。
【００６５】
以上のように、本実施形態においては、変形部３１ｂ自体の弾性力と、押圧体３６を移動付勢する弾性腕３７の弾性力とでスイッチリング３１を待機状態に復帰させるので、スイッチリング３１を常に確実に待機状態に復帰させることができる。また、変形部３１ｂ自体の弾性力と弾性腕３７の弾性力を越える操作力が加わらない限りは、スイッチ素子３２の状態を維持できるので、たとえば、ユーザーがスイッチリング３１に誤って触れた場合などに、スイッチ素子３２がオン・オフ操作されるのを確実に防止できる。従って、スイッチリング３１によるスイッチ素子３２のオン・オフ操作を常に的確に行うことができ、長期にわたって高度の信頼性を発揮できるスイッチ構造が得られる。
【００６６】
また、スイッチリング３１とスイッチベース３０のそれぞれをリング状に形成し、スイッチリング３１の周囲の一端半部の固定部３１ａをスイッチベース３０に固定すると、スイッチリング３１およびスイッチベース３０の周辺部の外観上の印象をシャープでありながらシンプルなものにして、デザイン効果を高めることができる。
【００６７】
（第２実施形態）  図１４および図１５に、本発明をロータリー式の電気かみそりに適用した第２実施形態を示す。図１４において電気かみそりは、有底筒状のハウジング１４を備えグリップを兼ねる本体部１０１と、本体部１０１の上部に設けられるかみそりヘッド１０２とを備えている。かみそりヘッド１０２には、網刃からなる断面アーチ形の一対の外刃１０３と、各外刃１０３の内面に摺接するロータリー式の内刃１０４・１０４と、センター刃（図示していない）とが設けられており、本体部１０１の内部に設けたモーター１０５の回転動力で、内刃１０４・１０４を回転駆動できる。かみそりヘッド１０２は水洗い洗浄することができ、洗浄時に内刃１０４・１０４を駆動することにより、かみそりヘッド１０２の内部や、外刃１０３および内刃１０４に付着した毛屑や皮脂などを効果的に洗い流すことができる。かみそりヘッド１０２の水洗い洗浄時に、本体部１０１の内部に水滴が侵入しないよう、ハウジング１４の上部開口とかみそりヘッド１０２との間には、図示しない防水構造を設けて、ハウジング１４を水密状に形成してある。
【００６８】
本体部１０１にはモーター１０５に電力を供給する２次電池１０６が収容され、その前面に電気かみそりの動作状態を切換えるためのスイッチ構造が設けてある。本体部１０１の下端には、給電用のプラグ１０８が設けてあり、このプラグ１０８を介して充電電流を供給することにより２次電池１０６を充電することができる。符号１０９は外刃１０３を支持する外刃ホルダーであり、その内部の毛屑室に切断された毛屑を溜めることができる。
【００６９】
図１５に示すように、ハウジング１４の前面には、スイッチ構造が配置してある。スイッチ構造は、ハウジング１４に固定されるスイッチベース３０と、ハウジング１４の内部に配置されるスイッチ素子３２と、スイッチ素子３２を押圧体３６を介して切換え操作するスイッチプレート（操作体）３１などで構成する。スイッチベース３０とスイッチプレート３１とは、それぞれ正面視において略相似状の砲弾型に形成してあり、スイッチプレート３１はスイッチベース３０の外面に配置してある。
【００７０】
スイッチベース３０は、砲弾型のベース本体６５と、ベース本体６５の左右中央に形成された開口６６内に配置される押圧体３６とを一体に備えたプラスチック成形品からなる。押圧体３６は、上下一対の弾性腕（弾性体）３７・３７と、前後に延びる段付き軸状の押圧軸６７とを一体に備えており、各弾性腕３７が開口６６の上下縁部に連結してある。押圧軸６７は、一対の弾性腕３７・３７が弾性変形することにより後方移動できる。開口６６の上側には、後述するスイッチプレート３１の変形部３１ｂの揺動を案内する円形の貫通穴で形成されたガイド穴（ガイド体）４０が開設してある。ベース本体６５の板面には、下側に１個の係合穴６８が形成され、上側に１個の固定穴６９と、位置決め穴７０とがそれぞれ形成してある。スイッチベース３０は、ベース本体６５の後面の上下に形成された取付脚７１をハウジング１４に接着して固定してある。
【００７１】
スイッチプレート３１は、スイッチベース３０と略相似状の砲弾型のプレート本体７４と、プレート本体７４の上下中央に形成される操作面４７と、操作面４７の下端から下方が後側に傾斜する傾斜面４８とを一体に備えている。操作面４７と傾斜面４８とは、内面側に屈曲するく字状に形成してある。操作面４７の前面（外面）側には、指先をあてがうための押圧部４９が突出形成してある。このように、操作面４７に押圧部４９を突出形成すると、ユーザーはスイッチ構造の操作部分を視覚と触覚とのいずれででも認識することができるので、スイッチ操作を確実に行うことができる。操作面４７の後面側には、押圧軸６７の凹部３９ａに係合する１個の係合突起（突起）５０と、ガイド穴４０で案内される案内突起７８が形成してある。プレート本体７４の外周縁から後方に向かって周回状のスカート体（隠蔽体）５１が一体に形成してある。
【００７２】
スイッチプレート３１は、上部の固定部３１ａと下部の変形部３１ｂとで機能が異なっており、固定部３１ａはスイッチベース３０に連結されて、スイッチプレート３１の全体を片持ち支持する。また、下部の変形部３１ｂは、スイッチベース３０から浮離れた状態で支持されていて前後に弾性変形できる。変形部３１ｂの厚み寸法ｔは、固定部３１ａとの隣接部分から下端に近付くに従って、漸次薄くなるように形成してあり、これにより、固定部３１ａとの隣接部分から前端に至る間で弾性力を発揮しながら、荷重が集中する変形部３１ｂの基部の剛性を増強できる。従って、変形部３１ｂの基部の耐久性を向上しながら、操作面４７を含む変形部３１ｂおよび押圧部４９をしなやかに弾性変形させることができる。
【００７３】
プレート本体７４の後面の先の穴６８・６９・７０と対応する位置には、それぞれ係合爪７５、固定爪７６、および位置決め突起７７が形成してある。互いに係合する係合穴６８と係合爪７５とで規制手段５５を構成して、変形部３１ｂの下部がスイッチベース３０から分離するのを規制している。さらに、位置決め穴７０と位置決め突起７７とで位置決めされた固定部３１ａを、互いに係合する固定穴６９と固定爪７６とでスイッチベース３０に連結固定して、スイッチプレート３１をスイッチベース３０と一体化している。射出成形品からなるスイッチプレート３１は、ＡＢＳ樹脂やポリカーボネートなどの透光性を有するプラスチック材で形成してあり、本実施形態ではＡＢＳ樹脂を素材にしてスイッチプレート３１を形成した。
【００７４】
スイッチプレート３１は、スイッチベース３０に前方から嵌め込み装着することにより固定してある。詳しくは、各爪７５・７６および位置決め突起７７を、各穴６８・６９・７０に前方から挿入した状態で、スイッチプレート３１を後方に押し込むことにより、スイッチプレート３１をスイッチベース３０に連結し固定できる。この状態の係合爪７５・７６は係合穴６８・６９と係合して、スイッチプレート３１を分離不能に保持しており、プレート本体７４の上端内面は、ベース本体６５の前面で受止められている。これにより、スイッチプレート３１は、ベース本体６５で受止められる固定部３１ａがスイッチベース３０に一体に固定され、固定部３１ａよりも下側部分の変形部３１ｂが片持ち支持される。片持ち支持された変形部３１ｂは、位置決め突起７７の突出基端を支点にして、前方の待機状態と、待機状態から後方揺動した作動状態とに揺動変移できる。
【００７５】
スイッチベース３０にスイッチプレート３１を固定した状態では、操作面４７と押圧軸６７とが対向しており、押圧軸６７の凹部３９ａに係合突起５０が係合している。これにより、スイッチプレート３１と押圧軸６７とが同行移動可能に連結されるので、変形部３１ｂの揺動操作を確実に押圧体３６に伝達して、押圧体３６を介してスイッチ素子３２をオン・オフ操作することができ、信頼性の高いスイッチ構造を得られる。
【００７６】
上記のように、スイッチプレート３１の固定部３１ａをスイッチベース３０に固定すると、ハウジング１４などに別途固定構造を設ける場合に比べて、スイッチ構造を簡素化することができるので、装置全体の製造コストを削減できる。また、スイッチベース３０に固定部３１ａを係合固定するだけで、スイッチベース３０とスイッチプレート３１とを一体にできるので、スイッチ構造の組立ての手間を軽減できる。さらに、変形部３１ｂが前後（内外方向）に揺動するとき、操作面４７を案内壁４０で前後スライド（内外方向スライド）のみ可能に案内すると、操作面４７が変形部３１ｂの変形応力を受けて歪み変形するのを案内壁４０で規制して、操作面４７を均等に押下げ操作することができる。従って、スイッチ素子３２を変形部３１ｂで確実にオン・オフ操作することができる。
【００７７】
待機状態において、係合爪７５と係合穴６８が係合し、変形部３１ｂと弾性腕３７の弾性力を受止めるので、変形部３１ｂが待機状態を越えて前方揺動するのを確実に規制できる。従って、片持ち支持されているスイッチプレート３１の変形部３１ｂを、常に適正な待機状態に位置保持できる。また、いたずらなどによって、故意に変形部３１ｂが待機状態を越えて前方に揺動操作されることによるスイッチプレート３１の破損を効果的に防止することができる。
【００７８】
スカート体５１は、スイッチベース３０に被さって、外縁全周を覆っている。これにより、規制手段５５が外面側から視認されるのをスカート体５１で遮断して、スイッチベース３０とスイッチプレート３１の周辺部の見た目の印象をすっきりさせて、スイッチ構造のデザイン性を向上できる。また、規制手段５５の周囲をスカート体５１で覆い隠すことにより、規制手段５５が不正に操作されるのをよく防止できるので、いたずらや悪意に基づいてスイッチプレート３１が分解されるのを解消できる。
【００７９】
スイッチ素子３２と対向するハウジング１４には、ハウジング１４を貫通する連通穴９０が形成してある。スイッチ素子３２はタクタイルスイッチからなり、ハウジング１４の内部に垂直姿勢で配置した基板８０の前面に実装してある。連通穴９０の前面には、連通穴９０を封止するゴム製のパッキン（封止体）９１が配置してあり、パッキン９１により連通穴９０部分が水密状にシールしてある。この状態から、押圧部４９を変形部３１ｂおよび弾性腕３７の弾性力に抗して押込んで、変形部３１ｂを後方揺動させると、押圧軸６７でプランジャー部３２ａを押込んで、スイッチ素子３２をオン状態に切換えることができる。再度、押圧部４９を押込み操作すると、スイッチ素子３２をオフ状態に切換えることができ、これにより、電気かみそりを停止状態から作動状態へ、あるいは作動状態から停止状態へと操作することができる。
【００８０】
上記のように、スイッチ素子３２を切換え操作する際には、スイッチプレート３１の変形部３１ｂ、および押圧軸６７を支持する弾性腕３７の弾性力に抗する操作力が必要となる。従って、ユーザーが誤って押圧部４９や操作面４７に軽く触れた程度では、スイッチ素子３２が切換え操作されることはなく、ユーザーの明確な意図がない限りは、電気かみそりが起動され、あるいは動作が停止されるのを防止できる。
【００８１】
スイッチプレート３１の外表面には光の透過を妨げる遮光層５６が形成してある。遮光層５６は、スイッチプレート３１の外表面に塗料を塗布して形成するが、傾斜面４８の上部寄りの遮光層５６にレーザー光を照射して、照射部分の塗料を除去することにより表示部５７を形成している。表示部５７は、電気かみそりが作動している状態であることを発光表示するために設けてある。
【００８２】
傾斜面４８と対向する基板８０に、先の表示部５７へ向かって表示光を照射するＬＥＤ（光源）６１が設けてある。ＬＥＤ６１は、基板８０の前面に実装してあり、スイッチ素子３２がオン操作された状態において点灯されて、前端の発光面から表示光を照射する。ＬＥＤ６１は、ＬＥＤ６１の前面にハウジンク１４とベース本体６５とを貫通するように設けた導光体８１を介して、表示部５７へ向かって表示光を照射する。このように、ＬＥＤ６１を点灯した状態では、傾斜面４８に設けた表示部５７が発光するので、操作面４７の押圧部４９を指先で押圧したとしても、表示部５７から射出した表示光が指先で遮られるのを解消できる。つまり、押圧部４９とは別の位置に設けた傾斜面４８に形成した表示部５７から表示光を明確に射出するので、表示部５７が発光している状態であることをユーザーに対して確実に認識させることができ、これによりスイッチ構造の切換え状態を明確化できる。表示部５７の表示形状や表示パターンは自由に設定することができるので、例えばメーカー名や機種名などを自由に表現することができる。
【００８３】
（第３実施形態）  図１６に、本発明をロータリー式の電気かみそりに適用した第３実施形態を示す。本実施形態では、スイッチプレート３１をハウジング１４に固定した点と、押圧軸６７を１個の弾性腕３７で片持ち支持した点と、ガイド体４０をハウジング１４に形成した点が第２実施形態と異なっている。他は第２実施形態と同じであるので、同じ部材に同じ符号を付してその説明を省略する。
【００８４】
スイッチプレート３１は、位置決め突起７７を廃して２個の固定爪７６を形成してあり、この固定爪７６が位置決め突起７７を兼ねるように構成してある。ハウジング１４には、固定爪７６が係合する２個の固定穴６９が開設してあり、スイッチプレート３１は、固定穴６９に固定爪７６を係合させることにより固定してある。固定穴６９は、図示しない防水構造でシールしてある。押圧軸６７は、ベース本体６５に１個の弾性腕３７で片持ち支持してある。案内突起７８を案内する筒状のガイド体４０がハウジング１４に形成してあり、これら両者４０・７８で変形部３１ｂを揺動案内している。
【００８５】
（第４実施形態）  図１７に、本発明をロータリー式の電気かみそりに適用した第４実施形態を示す。本実施形態では、スイッチプレート３１をハウジング１４に固定した点と、スイッチベース３０を押圧体３６と固定枠８３とで形成した点が第２実施形態と異なっている。他は第２実施形態と同じであるので、同じ部材に同じ符号を付してその説明を省略する。
【００８６】
スイッチベース３０は、ストレート軸状の押圧軸６７と周回状の弾性腕（弾性体）３７とで構成される押圧体３６と、押圧体３６をハウジング１４に固定する固定枠８３とで構成してある。押圧体３６は、連通穴９０に臨む状態で配置されて、弾性腕３７の外周部が固定枠８３と連通穴９０の周縁部とで挟持された状態で固定してある。これにより、押圧体３６は、連通穴９０を封止する封止体９１を兼ねている。スイッチプレート３１は、ハウジング１４に形成された突部８４に接着固定してある。規制手段５５は、スカート体５１の下端に形成した爪８５と、スイッチベース３０の固定枠８３の下端に形成した段部８６とで構成してある。
【００８７】
上記のように、押圧軸６７と周回状の弾性腕３７とを備えた押圧体３６が、連通穴９０を封止する封止体９１を兼ねるようにすると、別途連通穴９０を封止する部材を別途設ける必要がなく、より簡単な構造でハウジング１４を水密状に保持できる。
【００８８】
（第５実施形態）  図１８に、スイッチ素子３２の別実施形態を示す。本実施形態では、スイッチ素子３２をスライド式のスイッチ素子とした点が第１実施形態と異なっている。他は第１実施形態と同じであるので、同じ部材に同じ符号を付してその説明を省略する。スイッチ素子３２は、スライドノブ９３と、スライドノブ９３の基部、接点、およびスライドノブ９３を接点の開位置（左方向）側へ付勢するばね９４を収容するスイッチケース９５とからなる。押圧部４９を押し込み操作して、押圧体３６を下方に移動させると、押圧体３９の底面に形成したカム面９６で、スライドノブ９３を接点の閉位置（右方向）へ変位させ、スイッチ素子３２をオン・オフ操作できる。押し込み操作した指を離して押圧枠３９が待機状態へ復帰すると、ばね９４の付勢力によりスライドノブ９３は、接点の開位置へと復帰する。
【００８９】
上記の各実施形態では、操作体３１は透光性を有する素材で形成したが、その必要はなく、表示部５７部分が透光性を有していればよい。この場合には、例えば表示部５７部分を透光性素材とし、その他を非透光性素材として２色成形を行なうことで表示部５７部分が透光性を有する操作体３１を得ることができる。スイッチ素子３２は、タクタイルスイッチ以外に、プッシュ式スイッチやモーメンタリ式トグルスイッチなどを利用できる。要は、操作力を解除することにより、初期状態に自己復帰できるスイッチであればよい。変形部３１ｂの厚み寸法ｔは、階段状にその厚みを薄くすることができる。
【符号の説明】
【００９０】
１４  ハウジング
３０  スイッチベース
３１  操作体（スイッチリング・スイッチプレート）
３２  スイッチ素子
３６  押圧体
３７  弾性体（弾性腕）
３９ａ  凹部
４０  ガイド体（案内壁・ガイド穴）
４７  操作面
４８  傾斜面
４９  押圧部
５０  突起（係合突起）
５１  隠蔽体（スカート体）
５５  規制手段
５６  遮光層
５７  表示部
６１  光源（ＬＥＤ）
６２  反射部
９０  連通穴
９１  封止体（パッキン）
【図１】
2014207124.tif 000003
【図２】
2014207124.tif 000004
【図３】
2014207124.tif 000005
【図４】
2014207124.tif 000006
【図５】
2014207124.tif 000007
【図６】
2014207124.tif 000008
【図７】
2014207124.tif 000009
【図８】
2014207124.tif 000010
【図９】
2014207124.tif 000011
【図１０】
2014207124.tif 000012
【図１１】
2014207124.tif 000013
【図１２】
2014207124.tif 000014
【図１３】
2014207124.tif 000015
【図１４】
2014207124.tif 000016
【図１５】
2014207124.tif 000017
【図１６】
2014207124.tif 000018
【図１７】
2014207124.tif 000019
【図１８】
2014207124.tif 000020